(57)【特許請求の範囲】
【請求項１】
隔壁で囲まれた閉鎖区画の出入口である開口部と、
この開口部内に展開することが可能に設置されたシャッター手段と、
この開口部の周辺部又は展開状態のシャッター手段の縁部のうち少なくとも一辺に設置された吹出し口を有し、この吹出し口から閉鎖区画の外方側へエアを噴出するように構成されたエア噴出手段とを具備する虫侵入阻止機能付きシャッター機構において、
上記開口部の側辺部の閉鎖区画の内方側に、虫を引き寄せる誘引光源と、この誘引光源の近傍に設置された吸込み口及び当該吸込み口からエアとともに吸い込まれた虫を捕獲するための捕獲フィルタを備えた装置を有し、
この装置から排出するエアを、上記エア噴出手段に供給するように設けられ、
上記誘引光源は開口部とシャッターの隙間から外部に光が漏れないように配置されたことを特徴とする、虫侵入阻止機能付きシャッター機構。
【請求項２】
隔壁で囲まれた閉鎖区画の出入口である開口部と、
この開口部内に展開することが可能に設置されたシャッター手段と、
この開口部の周辺部又は展開状態のシャッター手段の縁部のうち少なくとも一辺に設置された吹出し口を有し、この吹出し口から閉鎖区画の外方側へエアを噴出するように構成されたエア噴出手段とを具備する虫侵入阻止機能付きシャッター機構において、
上記展開状態の遮蔽シートの真下の開口部分に、当該開口部分の下辺に沿って、上記吹出し口を有する給気ラインが形成されたことを特徴とする、虫侵入阻止機能付きシャッター機構。
【請求項３】
上記シャッター手段は、上記開口部の上辺側に設置した巻取り用ドラムと、この巻取り用ドラム内に収納され、この巻取り用ドラムから開口部の下辺側へ展開することが可能に設けられた遮蔽シートとで構成され、
上記吹出し口は、少なくとも開口部の下辺又は遮蔽シートの下縁部の長手方向両側に配置されたことを特徴とする、請求項１又は請求項２記載の虫侵入阻止機能付きシャッター機構。
【発明の詳細な説明】
【技術分野】
【０００１】
本発明は、隔壁で囲まれた閉鎖区画の出入口である開口部に設けられるシャッター機構、
特に、昆虫異物等の製品への混入防止が要請される食品・医薬品の製造現場における工場等の建物やその内部の部屋等の閉鎖空間の出入口に設置される虫侵入阻止機能付きシャッター機構に関する。
【背景技術】
【０００２】
建物等の出入口からその内部への昆虫等虫類の侵入を阻止する技術として次のようなものが知られている。その１は、シャッター部と、吸込口と吹出口を有し相対向する水平方向のエアカーテン流を形成するエアカーテン装置とを備え、シャッターの閉鎖時にシャッター部に付着した昆虫類を払い落とすために、吹出口からの噴流をシャッター面に吹き付け、その後、吹出口を水平方向に旋回させて、水平方向に互いに対向する平行なエアカーテン流を形成してシャッターを開放し、終業時のシャッター閉鎖時には、吹出口を初期位置に移動させるというものである(特許文献１)。
その２は、出入口の遮蔽シート等の間仕切りと、間仕切り上方のエア吹出し装置とを備え、間仕切り開放に先立ち、間仕切りへ虫侵入阻止用エアを吹き付けることで、間仕切り外面およびその外面周辺にとまっている昆虫を排除した後、間仕切り外方へエアカーテンを形成し、次いで間仕切りを開放するよう設けたものである(特許文献２)。
その３は、室内空間への出入口に通路空間を形成し、この通路空間の左右側壁の一方の上下両部にエア吹出口を、他方の上下両部にエア吸引口を、それぞれ設けて、通路空間を左右に横断するエアカーテン気流で遮蔽することにより虫等の侵入を阻止するというものである(特許文献３)。
なお、遮蔽シートやエアカーテンを使用するものではないが、虫類を排除するその他の技術として、虫類誘引能力を有する発光体と、室内側から室外側へ向かうエア流を形成するための送風機とを備え、送風機の作動により発光体周囲の飛翔虫を室外へ排除するものがある(特許文献４、５、６)。
【先行技術文献】
【特許文献】
【０００３】
【特許文献１】特開２００３−１６１４８９号公報
【特許文献２】特開２００３−２１４６７８号公報
【特許文献３】特開２００６−５７９２８号公報
【特許文献４】特開平１０−２２７５０３号公報
【特許文献５】特開平１１−２８１１０９号公報
【特許文献６】特開平１１−２８９９４８号公報
【発明の概要】
【発明が解決しようとする課題】
【０００４】
しかしながら従来技術のその１およびその２では、たしかに人や物の出入に際し、遮蔽シートを開放する際の昆虫等の侵入は阻止できるが、遮蔽シートの閉塞時には昆虫等の侵入を阻止することは困難である。シートシャッターに限らず一般に遮蔽部材を用いた開閉設備では必ず遮蔽部材の下端、特に遮蔽部材下端の左右両側と開口側面との間に隙間が生じるが、この隙間は外部からの昆虫の建物内部への侵入経路となりやすいからである。なお、このような開閉設備では、遮蔽部材下端の左右両側と開口側面との隙間についで遮蔽部材の開閉用のレール部分や、巻き取り後の遮蔽部材を格納するシャッターボックスも昆虫の通過箇所となりやすい。
また、従来技術のその３では、エアカーテンの稼働中は出入口から室内空間内への虫等の侵入を阻止することができるとしてもエアカーテン非稼働時には侵入を阻止し得ない。これを防止すべくあらかじめ出入口に遮蔽シートを設けておき、エアカーテンの非稼働時にこれを使用する場合にはその１及びその２と同様の課題が生じる。
なお、遮蔽シートやエアカーテンを使用することなく虫類を排除する上記従来技術は、室内に入った飛翔虫を室外に排除するためのもので、送風機は換気扇程度のものであり、製造現場での建物の出入口を介しての飛翔虫や歩行虫の建物内部への侵入は阻止し得ない。
【０００５】
本発明の第１の目的は、建物等内部への昆虫等の侵入を阻止して、食品・医薬品の製造現場における昆虫異物等の製品への混入を防止する虫侵入阻止機能付きシャッター機構を提供することである。
【０００６】
本発明の第２の目的は、吹出し口を給気ラインで構成することにより昆虫等の侵入阻止効果をより大にして、吹出し口への加圧エアの供給が簡素な構成で行える虫侵入阻止機能付きシャッター機構を提供することである。
【０００７】
本発明の第３の目的は、屋内に開口する吸込み口から虫を吸い込こんで捕獲する昆虫捕獲用の誘引光源を備えた装置から排出するエアを有効利用できるとともに、この装置から排出するエアが昆虫捕獲の妨げとなることや建物等内部床面の埃や菌類を巻き上げたりすることを防止可能な虫侵入阻止機能付きシャッター機構を提供することである。
【課題を解決するための手段】
【０００８】
まず本発明の基本的構成を説明する。基本的構成は、
隔壁で囲まれた閉鎖区画の出入口である開口部と、
この開口部内に展開することが可能に設置されたシャッター手段と、
この開口部の周辺部又は展開状態のシャッター手段の縁部のうち少なくとも一辺に設置された吹出し口を有し、この吹出し口から閉鎖区画の外方側へエアを噴出するように構成されたエア噴出手段とを具備する虫侵入阻止機能付きシャッター機構である。
【０００９】
本構成は、閉鎖区画３の開口部１を開閉自在に遮蔽するシャッター手段１０の周辺部付近に閉鎖区画の外方側へエアを吹き出す吹出し口１５ｂを設けたので、シャッター手段１０の周辺部付近には閉鎖区画３外方へのエアの風圧が作用することとなって、この風圧により、シャッター手段１０と開口部１との隙間から建物等内部へ入ろうとする飛翔性や歩行性の虫は開口部へ接近できない。
【００１０】
第１の手段は、上記基本的構成を有し、かつ、上記開口部の側辺部の閉鎖区画の内方側に、虫を引き寄せる誘引光源と、この誘引光源の近傍に設置された吸込み口及び当該吸込み口からエアとともに吸い込まれた虫を捕獲するための捕獲フィルタを備えた装置を有し、
この装置から排出するエアを、上記エア噴出手段に供給するように設けられ、
上記誘引光源は開口部とシャッターの隙間から外部に光が漏れないように配置されたことを特徴とする。
【００１１】
本手段は、図１９に示すように、エアとともに虫を吸い込み捕獲フィルタ３０ａで捕獲する装置３０から排出するエアを、閉鎖区画３の外方側へエアを噴出するエア噴出手段１４に供給するように設けたから、装置３０から排出するエアの処理が問題となることがない。
【００１２】
第２の手段は、前記基本的構成を有し、かつ上記展開状態の遮蔽シートの真下の開口部分に、当該開口部分の下辺に沿って、上記吹出し口を有する給気ラインが形成されたことを特徴とする。
【００１３】
本手段は、図２に示すように、吹出し口１５ｂは開口部１の下辺の両側以外の部分にも形成されることとなり、したがって、昆虫等の侵入阻止効果がより大である。
【００１４】
第３の手段は、第１の手段又は第２の手段を有し、かつ上記シャッター手段は、上記開口部の上辺側に設置した巻取り用ドラムと、この巻取り用ドラム内に収納され、この巻取り用ドラムから開口部の下辺側へ展開することが可能に設けられた遮蔽シートとで構成され、上記吹出し口は、少なくとも開口部の下辺又は遮蔽シートの下縁部の長手方向両側に配置されたことを特徴とする。
【００１５】
本手段は、図２、図９、図１６、図１８および図２３に示すように、吹出し口１５ｂは、少なくとも開口部１の下辺１ｂ又は遮蔽シート１２の下縁部の長手方向両側に配置されたから、特に遮蔽シート１２と開口部１との間の長手方向両側の隙間ｇが生じ易い部分に風圧が作用するため、虫の侵入を効果的に阻止することができる。
【発明の効果】
【００１６】
第１の手段又は第２の手段に係る発明によれば、開口部の周辺部又は展開状態のシャッター手段の縁部のうち少なくとも一辺に設置された吹出し口を有し、この吹出し口から閉鎖区画の外方側へエアを噴出するように構成したから、外部からシャッター手段に接近する昆虫等は、吹出し口から噴出するエアの風圧によりシャッター手段と開口部との間に生じる隙間、シャッター手段の開閉用のレール部分およびシャッター手段巻取りドラムの通過箇所に侵入することができず、したがって、食品・医薬品の製造現場における昆虫異物等の製品への混入が防止される。
第１の手段に係る発明によれば、エアとともに虫を吸い込んで捕獲フィルタで捕獲する装置から排出するエアを、閉鎖区画の外方側へエアを噴出するエア噴出手段に供給するように設けたから、装置から排出するエアを有効利用できるとともに、装置から排出するエアが昆虫捕獲の妨げとなることや建物等内部床面の埃や菌類を巻き上げたりすることが防止される。
第２の手段に係る発明によれば、上記展開状態の遮蔽シートの真下の開口部分に、当該開口部分の下辺に沿って、上記吹出し口を有する給気ラインを形成したので、吹出し口は開口部の下辺の両側以外の部分にも形成されることとなり、したがって、昆虫等の侵入阻止効果がより大であるとともに、給気ラインは上下動する遮蔽シートではなく、開口部に固定されるため、給気ラインへのエアの供給が容易であり、したがって、構成を簡素にすることができる。
第３の手段に係る発明によれば、吹出し口は、開口部の下辺の長手方向の少なくとも両側又は遮蔽シート下縁部の長手方向の少なくとも両側に配置されたから、特に昆虫等の内外通過路が生じ易い開口部の下辺の両側又は遮蔽シート下縁部の両側からエアが噴出することとなって、建物等内部への昆虫等の侵入阻止効果が大である。
【図面の簡単な説明】
【００１７】
【図１】同図(ａ)は本発明に係る虫侵入阻止機能付きシャッター機構の屋内側の概略斜視図であり、同図(ｂ)は虫侵入阻止機能付きシャッター機構の屋外側の概略斜視図であり、同図(ｃ)は開口部内における遮蔽シートの配置状態を示す正面図である。
【図２】開口部下辺に吹出し口を配置した第１実施形態の左右方向から見た縦断面を示す略示図である。
【図３】図２の要部拡大図である。
【図４】図６の正面図である。
【図５】遮蔽シートの閉鎖状態を示す図２相当図である。
【図６】図５の要部拡大図である。
【図７】隆起部(モール部)へエアを供給する手段を正面から見た略示断面図である。
【図８】吹出し口を多数設けた例を示す図４相当図である。
【図９】第２実施形態の要部を示す断面図である。
【図１０】図９の正面図である。
【図１１】吹出し口を多数設けた例を示す図１０相当図である。
【図１２】中空部へエアを供給する手段を示す略示図である。
【図１３】同図(ａ)は中空部へエアを供給する手段の他の例の要部断面図であり、同図(ｂ)は同図(ａ)のＡ−Ａ方向から見た右側面図である。
【図１４】図１３の全体図である。
【図１５】中空部へエアを供給する手段のさらなる他の例を示す要部断面図である。
【図１６】第３実施形態の要部を示す断面図である。
【図１７】図１６の正面図である。
【図１８】第４実施形態の要部を示す断面図である。
【図１９】第５実施形態の要部を示す略示断面図である。
【図２０】第６実施形態の屋外から見た概念図である。
【図２１】図２０を屋内から見た概念図である。
【図２２】図２０を屋外斜めから見た概念図である。
【図２３】要部を示すもので、屋内から見た概略図である。
【図２４】図２３の遮蔽シートの側面図である。
【図２５】開口部内における遮蔽シートの配置状態を示す正面図である。
【図２６】遮蔽シートとガイドレールとの係合状態を示す断面図である。
【発明を実施するための形態】
【００１８】
以下、本発明の実施の形態について、図面を参照しながら詳細に説明する。
【００１９】
図１は本発明に係る虫侵入阻止機能付きシャッター機構の概略を示すもので、開口部１と、シャッター手段１０と、エア噴出手段１４とから構成されている。なお、以下において、左右とは屋外正面(図１(ｂ))から見た方向を指すものとする。
【００２０】
開口部１は、隔壁２(図面では正面側のみを示す)で囲まれた閉鎖区画３の出入口を形成するもので、その上辺１ａ側には後述の巻取りドラム１１が設置され、下辺１ｂは床面と連続し、またその左右両側辺１ｃ、１ｄにはガイドレール１ｅが設置されている。ガイドレール１ｅは横断面コ字状に形成されていて、その上端は図２に示すように後述のシャッターケース１１ａ下面に連結され、また下端は開口部１の下辺１ｂに達している。
【００２１】
シャッター手段１０は、図２にも示すように、開口部１の上辺１ａに設置された巻取りドラム１１と、巻取りにより巻取り用ドラム１１内に収納されるとともに、巻出しにより開口部１内の下辺１ｂ側へ展開可能な遮蔽シート１２とから構成されている。
【００２２】
巻取りドラム１１は、開口部１の左右両側辺１ｃ、１ｄ間に横架された、縦断面矩形状でかつ下面に遮蔽シート１２の挿通口Ｐが形成されたシャッターケース１１ａと、シャッターケース１１ａ内に回動自在に横架された左右方向(長手方向)への巻取りシャフト１１ｂと、巻取りシャフト１１ｂから巻き出された遮蔽シート１２を摺動自在に支持する支持杆１１ｃとから構成されている。上述のガイドレール１ｅはその上端が遮蔽シート１２の挿通口Ｐの内外両側に連結されている。
【００２３】
上述のシャッター手段１０を構成する遮蔽シート１２は巻取りシャフト１１ｂに巻出し自在に巻き掛けられている。遮蔽シート１２は可撓性を有する柔軟な材質からなり、その下端は図２に示すように折り返されて中空部１２ａに形成されており、この中空部１２ａの底部に左右方向(長手方向)へ長い棒状の錘材１２ｂが固着されている。棒状の錘材１２ｂの左右両端部は中空部１２ａの左右両端から突出して開口部１の左右両側辺１ｃ、１ｄに設置されたガイドレール１ｅへ摺動自在に嵌合されている。錘材１２ｂは床面に対する遮蔽シート１２の下端の密着性を高めるものであり、したがって遮蔽シート１２下端を床面の形状に倣って追従するように着地させることができる材質、例えば鎖状の部材またはゲルないし粘土等の可塑性の素材がより好ましい。このように錘材１２ｂとして棒状の部材を使用しない場合には、棒状部材のように中空部１２ａから突出させてガイドレール１ｅへ係合させるものがないため、遮蔽シート１２下端の左右両端から係合片を突出させてガイドレール１ｅへ摺動自在に嵌合させる。なお遮蔽シート１２の素材としては柔軟性を有するものに限らず、金属製で比較的重量の重いものでも使用可能である。
【００２４】
本発明に係る虫侵入阻止機能付きシャッター機構の要素のうちの１つである上述のエア噴出手段１４は床に設けられた給気ライン１５で構成される。すなわち、給気ライン１５は、開口部１の下辺１ｂ上に床材１６を設けて、この床材１６の内外中央部を上方へ凸の弯曲状にすることで隆起部１５ａ(モール部)に形成し、この隆起部１５ａ(モール部)の屋外側の傾斜壁の左右両端部に、図４にも示すような吹出し口１５ｂを形成する。
【００２５】
遮蔽シート１２を閉鎖時に下方へ展開すると、図５および図６に示すように中空部１２ａの下部は吹出し口１５ｂを含む隆起部１５ａ(モール部)を覆うようにして着地するため、虫の侵入経路とはなりにくい。一方、遮蔽シート１２の左右両側と開口部１の左右両辺１ｃ、１ｄとの間には隙間が存在し、特に遮蔽シート１２下端の左右両側と開口部１との間の隙間ｇは虫の侵入経路となりやすいが、隆起部１５ａ(モール部)の左右両端部に設けられた吹出し口１５ｂからエアが外方へ噴出するため、虫Ｍは風圧を受けて遮蔽シート１２へ接近することができない。
【００２６】
隆起部１５ａ(モール部)内へは加圧エアが供給されるため、図７に示すように、その左右両端は気密に閉塞される必要があり、そのため隆起部１５ａ(モール部)の左右両端を開口部１の左右両側辺１ｃ、１ｄに気密に接触させると共に、隆起部１５ａ(モール部)の左右両端をシール材１５ｆで閉塞させる。隆起部１５ａ(モール部)内へのエアの供給は、開口部１を囲む隔壁２内に設置された加圧供給源(図示せず)に給気パイプ１５ｅを連結して、これを隆起部１５ａ(モール部)の一方のシール材１５ｆへ貫通させて隆起部１５ａ(モール部)内へ挿入することにより行う。なお、隆起部１５ａ(モール部)を形成する床材１６の素材としては耐荷重性を有する金属、硬質の合成樹脂等を用いる。
【００２７】
上記では吹出し口１５ｂは隆起部１５ａ(モール部)の左右両端部に設けられているが、これに限定されることなく、図８に示すように隆起部１５ａ(モール部)の左右方向(長手方向)全長にわたって設けてもよい。なお、隆起部１５ａ(モール部)の形状は弯曲状に限らず、上方へ凸であれば三角形状でも可能である。この場合も上記同様に遮蔽シート１２の中空部１２ａの下部は隆起部１５ａ(モール部)に接触してその形状(三角形状)に倣うように、いわばそれに追従するように変形して隆起部１５ａ(モール部)を覆うため、中空部１２ａと隆起部１５ａ(モール部)との間には殆ど隙間が生じない。このようにエア噴出手段１４を給気ラインで構成する場合には、長手方向全長にわたって吹出し口を設けるにもかかわらず加圧供給源を隆起部１５ａ(モール部)の一端ないし両端へ連結するだけであるから構成を簡素化することができる。
【００２８】
次に作用について説明する。生産設備の稼働中には図１、図５および図６に示すように、遮蔽シート１２を下方へ展開して開口部１を閉鎖状態にしておき、隆起部１５ａ(モール部)に加圧エアを供給して吹出し口１５ｂからエアを常時噴出させておく。すると遮蔽シート１２下端の左右両側と開口部１との間および遮蔽シート１２下端と隆起部１５ａ(モール部)との間に隙間が生じていても外部から開口部１に接近する虫は吹出し口１５ｂから噴出するエアの風圧を受けて開口部１に接近できない。なお、搬出入時には遮蔽シート１２は開放されるが、その際には開口部１に公知のエアカーテン装置を設けることで虫の侵入を阻止することができる。
【００２９】
図９から図１５は第２実施形態を示す。図２から図８に示す第１実施形態ではエアを噴出する吹出し口１５ｂを開口部１における下辺１ｂの床材１６の隆起部１５ａ(モール部)に設けたが、本実施形態では吹出し口１５ｂを遮蔽シート１２自体に設けた点で第１実施形態と異なる。すなわち、遮蔽シート１２の下端部を中空部１２ａとし、かつ中空部１２ａ内に錘材１２ｂを設ける点は第１実施形態と同様であるが、中空部１２ａ下端は平坦な床面に直接着地するため、床面への密着性向上の観点から中空部１２ａは上下に細長の縦断面楕円形状にして下端部に線荷重がかかるようにする。第１実施形態では遮蔽シート１２は隆起部１５ａ(モール部)に着地するため、着地前の中空部１２ａの形状を楕円形状にすることは任意であるが、本実施形態では上記観点からできるだけ楕円形状にすることが望まれる。
【００３０】
さらに、本実施形態では、吹出し口１５ｂは屋外側の中空部１２ａ部分であって、中空部１２ａ下端と床面(開口部１の下辺１ｂ)との接触部にできるだけ近い位置で、かつ錘材１２ｂによりエアの噴出が妨げられない位置に設ける。また吹出し口１５ｂは図１０に示すように中空部１２ａの左右両端にのみ設けてもよく、または図１１に示すように中空部１２ａの長手方向(左右方向)全長にわたって設けてもよい。
【００３１】
遮蔽シート１２の中空部１２ａ内には加圧エアが供給されるが、これは次のようにして行う。すなわち図１２に示すように、開口部１の左右両側辺１ｃ、１ｄの下端部内に設置された加圧供給源１５ｄに給気パイプ１５ｅを連結して、その先端がガイドレール１ｅを貫通して中空部１２ａの左右両端面に対向するように配置しておき、給気パイプ１５ｅからの加圧エアが中空部１２ａ内へ噴出されるようにする。なお上記では給気パイプ１５ｅは左右一対設けられているが、一方を省略してもよい。この場合には給気パイプ１５ｅが省略された側の中空部１２ａの開口面を閉塞する。
【００３２】
図１２に示す上記加圧エアの供給手段は、給気パイプ１５ｅからの加圧エアのすべてが中空部１２ａ内に供給されることなく中空部１２ａ外に漏れるため、これを防止する必要がある場合には、図１３に示すように中空部１２ａの開口面をシール材１５ｆで閉塞して、給気パイプ１５ｅをシール材１５ｆへ貫通させることにより中空部１２ａ内に挿入する。この場合には給気パイプ１５ｅの先端部は遮蔽シート１２の中空部１２ａに固定されるため、図１４に示すように給気パイプ１５ｅを蛇腹等の伸縮自在な材料で適当な長さに形成して遮蔽シート１２の上下動に追従させることが必要であり、また隔壁２内に給気パイプ１５ｅが上下動するための空間を形成することが必要である。
【００３３】
図１２、図１３および図１４では、加圧エアを中空部１２ａの左右の端面から供給するようにしたが、これに限らず中空部１２ａの左右両端面を閉塞して中空部１２ａの屋内側部分の左右両端部に供給孔２０を設けて、ここから中空部１２ａ内に加圧エアを供給することも可能である。この場合には図１５に示すように、開口部１の左右両側辺１ｃ、１ｄに設けられた図示しない加圧供給源に給気パイプ１５ｅを連結してその先端を着地した遮蔽シート１２の中空部１２ａの供給孔２０に近接可能に設けておき、中空部１２ａ内に供給した加圧エアを吹出し口１５ｂおよび中空部１２ａの左右両端から噴出させる。中空部１２ａ内に入らない漏れた加圧エアは中空部１２ａ下端と床面との隙間から外部へ噴出するため虫に対する風圧となる。
【００３４】
本実施形態においても、第１実施形態と同様に、遮蔽シート１２の閉鎖時に、遮蔽シート１２下端の左右両側と開口部１との間および遮蔽シート１２下端と開口部１の下辺１ｂとの間に隙間が生じていても、吹出し口１５ｂから噴出するエアの風圧を受けて虫Ｍは開口部１に接近することができない。
【００３５】
図１６および図１７は第３実施形態を示す。図２に示す第１実施形態ではエアを噴出する吹出し口１５ｂを開口部１における下辺１ｂの床材１６の隆起部１５ａ(モール部)に設け、また図９に示す第２実施形態では吹出し口１５ｂを遮蔽シート１２自体に設けたが、本実施形態では吹出し口１５ｂを給気パイプ１５ｅの噴口で構成して、図示しない加圧供給源に連結された給気パイプ１５ｅの噴口を隙間ｇに向けて配置する。
【００３６】
上記構成であるから遮蔽シート１２の閉鎖時には、吹出し口１５ｂからのエアが遮蔽シート１２下端の左右両側と開口部１の左右両辺１ｃ、１ｄとの間の隙間ｇを介して遮蔽シート１２外方へ噴出するため、その風圧により虫Ｍは隙間ｇから屋内へ侵入することができない。その他の構成は図９に示す第２実施形態と同様であるから説明を省略する。
【００３７】
図１８は第４実施形態を示す。図１６および図１７に示す第３実施形態では吹出し口１５ｂを給気パイプ１５ｅの噴口で構成したが、本実施形態では吹出し口１５ｂを床面(開口部１の下辺１ｂ)に設ける点で異なる。すなわち、開口部１の下辺１ｂの左右両側部の床内に屋内外方向への埋込管２５を埋設し、その外方側の一端部を斜め上外方へ屈曲して、中空部１２ａが接触する床面部分に開口させて吹出し口１５ｂに構成すると共に、その内方側の他端部を図示しない加圧供給源に連結された給気パイプ１５ｅに連結する。
【００３８】
上記構成であるから遮蔽シート１２の閉鎖時に、吹出し口１５ｂからのエアが中空部１２ａと開口部１の下辺１ｂとの間の隙間から遮蔽シート１２外方へ噴出するため虫Ｍは開口部１に接近することができない。その他の構成は図９に示す第２実施形態と同一であるから説明を省略する。
【００３９】
図１９は第５実施形態を示す。本実施形態は屋内に開口した吸込み口からエアとともに虫を吸い込んで捕獲フィルタで捕獲する装置３０を図２に示す第１実施形態に適用した例を示す。この装置３０は開口部１の左右両側辺１ｃ、１ｄの一方または双方の隔壁２の下方内部に設けた空間Ｓ内に設けられており、捕獲フィルタ３０ａが収納された捕獲ケース３０ｂと、加圧供給源としてのファン３１とから構成されている。
【００４０】
ファン３１は捕獲ケース３０ｂ内を吸引するためのもので、これらは管路３２を介して連結されており、捕獲ケース３０ｂの吸込み口３０ｃは開口部１の左側辺１ｃに開口するとともに、ファン３１は図７に示すように給気パイプ１５ｅを介して給気ライン１５を構成する隆起部１５ａ(モール部)の一端に連結されている。なお、開口部１の左側辺１ｃを形成する隔壁２の屋内側には虫を引き寄せる紫外線発光源等の誘引光源３３が設置されている。誘引光源３３は開口部１と遮蔽シート１２との隙間から外部に光が漏れないように配置する。
【００４１】
誘引光源３３により誘引された虫Ｍは吸込み口３０ｃからエアとともに吸い込まれて捕獲フィルタ３０ａで捕獲される。これにより隔壁２で囲まれた閉鎖区画３内の虫が捕獲される。一方、ファン３１から排気される加圧エアは給気パイプ１５ｅを介して給気ライン１５の隆起部１５ａ(モール部)内に供給されて吹出し口１５ｂから噴出する。図１において、矢印Ａはファン３１によって吸引・排気されるエアの流れを示す。
【００４２】
上記では装置３０を図２に示す第１実施形態に適用したが、図９に示す第２実施形態に適用する場合には中空部１２ａ内へ、図１６に示す第３実施形態に適用する場合には中空部１２ａの屋内側下縁へ、図１８に示す第４実施形態に適用する場合には埋込管２５へ、それぞれ上記装置３０から排出するエアを供給する。
【００４３】
上述した実施形態では、吹出し口１５ｂを開口部１の下辺１ｂ又は展開状態のシャッター手段の中空部１２ａに設けたが、これに加えて開口部１の上辺１ａ又は左右両側辺１ｃ、１ｄ又はシャッター手段の上縁又は左右両縁に設けることにより、巻取りドラム１１及びガイドレール１ｅの一方又は双方を通過路とする虫の侵入も防止することができる。
【００４４】
図２０から図２６は第６実施形態を示す。上記いずれの実施形態も図１９に示す装置３０、すなわち屋内に開口する吸込み口からファン３１による吸引力でエアとともに虫を吸い込んで捕獲フィルタ３０ａで捕獲すると共に、ファン３１に連結された給気パイプ１５ｅからエアを排気する装置３０は、開口部１の左右両側辺１ｃ、１ｄを形成する隔壁２の下方内部に設けた空間Ｓ内に設けられているが、本実施形態では装置３０を隔壁２とは独立の筐体４０内に収納すると共に、給気パイプ１５ｅの排気口を吹出し口１５ｂとして構成し、この吹出し口１５ｂを、開口部１を介して外部から見える位置に配置させる点で相違する。すなわち開口部１の左右両側の屋内側に、開口部１の開口面積を小さくする方向へ出っ張るように上記筐体４０を配置することにより吹出し口１５ｂが開口部１から見える位置に位置させることが可能で、このようにすることにより吹出し口１５ｂを後述の隙間ｇに対向して配置させることができる。
【００４５】
開口部１から隠れた筐体４０部分と隔壁２との間には図２３に示すように遮蔽シート１２の左右両側が摺動自在に嵌合されたガイドレール１ｅと、床面から立設してガイドレール１ｅを保持する保持部材４１とが配置される。保持部材４１は図２３に示すように柱状板４１ａと、柱状板４１ａの左右の側面から左右方向へ突設した前後(内外)一対の突出板４１ｂとから形成されていて、ガイドレール１ｅは一対の突出板４１ｂ内に設けられる。
【００４６】
遮蔽シート１２の下端部は、床面への着地時に屋内側へ屈曲して中空部１２ａの屋外側の側面が床面に接触し易いように、その左右の角部を切除して幅狭部１２ｗに形成すると共に、幅狭部１２ｗより上方の遮蔽シート１２部分の左右両側をガイドレール１ｅに摺動自在に係合させている。すなわちガイドレール１ｅを図２６に示すように断面四角形状にして、その一側面に上下両端開口の割溝を縦設し、この割溝を介して遮蔽シート１２の左右両側をガイドレール１ｅ内へ上下動自在に挿入する。遮蔽シート１２のガイドレール１ｅからの左右方向への抜出しを防止すると共に、遮蔽シート１２の上下動を円滑にするためガイドレール１ｅ内の遮蔽シート１２部分の内外両面に硬質樹脂等の拡幅材１２ｙを接着しておく。このように遮蔽シート１２の左右両側をガイドレール１ｅへ摺動自在に係合させる場合には、遮蔽シート１２をガイドレール１ｅへ係合させるための上述した係合片を別途設けることなく棒状材以外の鎖状の部材またはゲルないし粘土等の可塑性の素材を錘材１２として使用することができる。
【００４７】
上記のように遮蔽シート１２の下端部を幅狭にすると、幅狭部１２ｗと保持部材４１の柱状板４１ａとの間に隙間ｇが生じるため、ここから虫が侵入するおそれがある。そこでこれを阻止すべく上述のように筐体４０を配置して吹出し口１５ｂからのエアが隙間ｇを介して外部へ流出するようにしておく。なお、突出板４１ｂの下端から床面に達する長さのシート片４２を垂下して隙間ｇの左右の幅を減少させるようにすることで虫の侵入阻止効果をより高めることができる。
【００４８】
上記では筐体４０を開口部１内へ出っ張らせることで給気パイプ１５ｅの排気口からのエアを直接隙間ｇへ向けて噴出させるようにしたが、このように独立の筐体４０を設けることなく、図１６および図１７に示すように装置３０を開口部１の左右両側辺１ｃ、１ｄを形成する隔壁２の下方内部に設けた空間Ｓ内に配置した状態で給気パイプ１５ｅの排気口を吹出し口１５ｂとしてエアを隙間ｇへ向けて噴出させることも可能である。本実施形態におけるその他の構成は図２に示す第１実施形態および図１６および図１７に示す第３実施形態と同様であるから説明を省略する。
【００４９】
本発明は、昆虫異物等の製品への混入防止が要請される食品・医薬品の製造現場における工場等の建物やその内部の部屋等の閉鎖空間の出入口に設置される虫侵入阻止装置の分野に利用することができる。
【符号の説明】
【００５０】
１  開口部                  １ａ  上辺                      １ｂ  下辺        
１ｃ  左側辺                １ｄ  右側辺                    １ｅ  ガイドレール
２  隔壁                    ３  閉鎖区画                    １０  シャッター手段１１  巻取りドラム          １１ａ  シャッターケース        
１１ｂ  巻取りシャフト      １１ｃ  支持杆          １２  遮蔽シート      
１２ａ  中空部              １２ｂ  錘材            １４  エア噴出手段    
１５  給気ライン            １５ａ  隆起部          １５ｂ  吹出し口            
１５ｄ  加圧供給源          １５ｅ  給気パイプ      １５ｆ  シール材            
１６  床材                  ２０  給気孔            ２５  埋込管            
３０  装置                  ３０ａ  捕獲フィルタ        ３０ｂ  捕獲ケース      ３０ｃ  吸込み口            ３１  ファン                ３２  管路            
３３  誘引光源              ４０  筐体                  ４１  保持部材
４１ａ  柱状板              ４１ｂ  突出板
Ａ  エアの流れ              ｇ  隙間                
Ｐ  挿通口                  Ｓ  空間
【図１】
0005943377.tif 000002
【図２】
0005943377.tif 000003
【図３】
0005943377.tif 000004
【図４】
0005943377.tif 000005
【図５】
0005943377.tif 000006
【図６】
0005943377.tif 000007
【図７】
0005943377.tif 000008
【図８】
0005943377.tif 000009
【図９】
0005943377.tif 000010
【図１０】
0005943377.tif 000011
【図１１】
0005943377.tif 000012
【図１２】
0005943377.tif 000013
【図１３】
0005943377.tif 000014
【図１４】
0005943377.tif 000015
【図１５】
0005943377.tif 000016
【図１６】
0005943377.tif 000017
【図１７】
0005943377.tif 000018
【図１８】
0005943377.tif 000019
【図１９】
0005943377.tif 000020
【図２０】
0005943377.tif 000021
【図２１】
0005943377.tif 000022
【図２２】
0005943377.tif 000023
【図２３】
0005943377.tif 000024
【図２４】
0005943377.tif 000025
【図２５】
0005943377.tif 000026
【図２６】
0005943377.tif 000027